【手続補正書】
【提出日】平成17年1月6日(2005.1.6)
【手続補正１】
【補正対象書類名】特許請求の範囲
【補正対象項目名】全文
【補正方法】変更
【補正の内容】
【特許請求の範囲】
【請求項１】
ｐビットのワード、および少なくとも１つの補足の情報を、ｑ個の３進の数字で作成された記号で、複数のコーディング表に従ってコード化するコーディング方法であって、コーディング表が、コード化される少なくとも１つの補足の情報アイテムに応じて、コード化される各々の２進ワードについて選択され、
０に等しい重みを有する記号の数が少なくとも２×２ｐに等しくなるようにｐとｑが選択されること、
第１のコーディング表が、０に等しい重みを有する２ｐ個の記号を含むこと、および
第２のコーディング表が、０に等しい重みを有する２ｐ個の他の記号を含むことを特徴とする方法。
【請求項２】
ｐビットのワード、および少なくとも１つの補足の情報を、ｑ個の３進の数字で作成された記号で、複数のコーディング表に従ってコード化するコーディング方法であって、コーディング表が、コード化される少なくとも１つの情報アイテムに応じて、コード化される各々の２進ワードについて選択され、
０に等しい重みまたは±１に等しい重みを有する記号の数が少なくとも３×２ｐに等しくなるようにｐとｑが選択されること、
第１のコーディング表が、０に等しい重みを有する２ｐ個の記号を含むこと、
第２のコーディング表が、−１に等しい重みを有する２ｐ個の他の記号を含むこと、および
第３のコーディング表が、＋１に等しい重みを有する２ｐ個の他の記号を含むことを特徴とする方法。
【請求項３】
ｐビットのワード、および少なくとも１つの補足の情報を、ｑ個の３進の数字で作成された記号で、複数のコーディング表に従ってコード化するコーディング方法であって、コーディング表が、コード化される少なくとも１つの情報アイテムに応じて、コード化される各々の２進ワードについて選択され、
ｑがｐ＋１よりも大きいかまたは等しくなるようにｐとｑが選択されること、および第１のコーディング表が２ｐ個の記号を含み、かつ第２のコーディング表が２ｐ個の他の記号を含むことを特徴とする方法。
【請求項４】
メッセージの開始点を示すためにコーディング表を変更することと、さらに、前記コーディング表内で使用されるものの中の２つの連続する記号の組み合わせによって模倣することが不可能な記号によってメッセージの開始点を示すこととを特徴とする請求項１から３のいずれか一項に記載の方法。
【請求項５】
さらに、前にコード化されて伝送された記号の前記重みの合計の現在の値に応じて前記第２の表に従ったコーディングと前記第３の表に従ったコーディングとを切り替えることを特徴とする請求項２に記載の方法。
【請求項６】
ｐ＝１６およびｑ＝１２であることを特徴とする請求項１または請求項２のいずれかに記載の方法。
【請求項７】
ｐ＝８およびｑ＝１０であることを特徴とする請求項３に記載の方法。
【請求項８】
ｑ個の３進の数字で作成された記号でｐビットのワード、および少なくとも１つの補足の情報をコード化するためのコーダであって、２つのコーディング表（Ｔ１、Ｔ２）、およびコード化される情報アイテムに応じてコーディング表を選択するための手段（８）を含み、
０に等しい重みを有する記号の個数の合計が少なくとも２×２ｐに等しいこと、
第１のコーディング表が、０に等しい重みを有する２ｐ個の記号を含むこと、および
第２のコーディング表が、０に等しい重みを有する２ｐ個の他の記号を含むことを特徴とするコーダ。
【請求項９】
少なくとも３つのコーディング表を記憶するための手段、およびコード化される情報アイテムに応じてコーディング表を選択するための手段を含む２進ワードをコード化するためのコーダであって、
第１のコーディング表が、０に等しい重みを有する２ｐ個の記号を含むこと、
第２のコーディング表が、−１に等しい重みを有する２ｐ個の他の記号を含むこと、
第３のコーディング表が、＋１に等しい重みを有する２ｐ個の他の記号を含むこと、および
０に等しい重みまたは±１に等しい重みを有する記号の数が少なくとも３×２ｐに等しくなるようにｐとｑが選択されることを特徴とするコーダ。
【請求項１０】
ｑ個の２進の数字で作成された記号でｐビットのワード、および少なくとも１つの補足の情報をコード化するためのコーダであって、２つのコーディング表を含み、コード化される各々の２進ワードについて、コード化される少なくとも１つの補足情報アイテムに応じてコーディング表が選択され、
第１のコーディング表が２ｐ個の記号を含み、かつ第２のコーディング表が２ｐ個の他の記号を含むこと、および
ｑがｐ＋１よりも大きいかまたは等しいことを特徴とするコーダ。
【請求項１１】
２進のワードを復号するためのデコーダであって、少なくとも２つのデコーディング表（Ｔ１’、Ｔ２’）を記憶するための手段（１６）、および２進ワードを復号するために使用されるデコーディング表に応じて少なくとも１つの補足の情報を再生するための手段（１６、１８）を含むこと、
第１のコーディング表が、０に等しい重みを有する２ｐ個の記号を含むこと、
第２のコーディング表が、０に等しい重みを有する２ｐ個の他の記号を含むこと、および
０に等しい重みを有する記号の個数の合計が少なくとも２×２ｐに等しいことを特徴とするデコーダ。
【請求項１２】
２進のワードを復号するためのデコーダであって、少なくとも２つのデコーディング表を記憶するための手段、および２進ワードを復号するために使用されるデコーディング表に応じて少なくとも１つの補足の情報を再生するための手段を含むこと、
第１のコーディング表が、０に等しい重みを有する２ｐ個の記号を含むこと、
第２のコーディング表が、−１に等しい重みを有する２ｐ個の他の記号を含むこと、
第３のコーディング表が、＋１に等しい重みを有する２ｐ個の他の記号を含むこと、および
０に等しい重みまたは±１に等しい重みを有する記号の合計数が少なくとも３×２ｐに等しくなるようにｐとｑが選択されることを特徴とするデコーダ。
【請求項１３】
複数のコーディング表に従って、ｑ個の３進の数字で作成された記号でコード化されているｐビットの２進のワードを復号するためのデコーダであって、少なくとも２つのデコーディング表を記憶するための手段、および２進ワードを復号するために使用されるデコーディング表に応じて少なくとも１つの補足の情報を再生するための手段を含むこと、
第１のコーディング表が２ｐ個の記号を含み、かつ第２のコーディング表が２ｐ個の他の記号を含むこと、および
ｑがｐ＋１よりも大きいかまたは等しいことを特徴とするデコーダ。
【手続補正２】
【補正対象書類名】明細書
【補正対象項目名】００２６
【補正方法】変更
【補正の内容】
【００２６】
直流ゼロを維持するようにコーディング表を変更することにあり、補足の情報を送信する知られた方法を示すために、下記の表はｐ＝４かつｑ＝４の極めて単純な範例を示している。このコーディングの範例は４ビットの２進ワード１６個を４個の３進数を含む記号によってコード化する。これらの記号は重み−４から重み＋４まで重みを横方向に増すことで類別される。８１個の記号が存在し、そのうちの１９個が０の値を有し、３１個が＋１から＋４までの値を有し、３１個が−１から−４までの値を有する。１６個の記号が＋１に等しい重みを有し、１６個が−１に等しい重みを有することに留意すべきである。
【表１】
2004532589.tif 000001
第１のコーディング表は０に等しい重みの１６個の記号によって１６個の２進ワード００００、０００１、．．．．．．．．．、１１１１をコード化することで構成される。０に等しい重みの２つの記号は補足情報アイテムに利用できるように残され、記号００００は、コード化されたデータの受信時にクロック信号の回復を複雑にするので使用されない。
【手続補正３】
【補正対象書類名】明細書
【補正対象項目名】００３２
【補正方法】変更
【補正の内容】
【００３２】
請求項１に記載の方法の使用の範例は、８ビットの２進ワード２５６個を８個の３進数を含む記号でコード化する（８Ｂ／８Ｔコーディング）ことにある。０に等しい重みの記号の数は７４４個である。第１のコーディング表は０に等しい重みの２５６個の記号によって２５６個の２進ワード００００００００、．．．．．．．．．、１１１１１１１１をコード化することで構成される。